(57)【要約】【課題】  機器の外観としての意匠性に優れ、また交換性等の機能についても優れる表示体装着構造、これを備えた機器、画像形成装置を提供する【解決手段】  画像形成装置本体１の前面パネル５０に外部へ開放する凹部５３を設け、表示体６０を構成するシート６１を装着し、その外側をカバー６２で覆う。前面パネル５０、凹部５３、シート６１、カバー６２はそれぞれ水平方向に屈曲させ、前面パネル５０の上下の２面５１、５２のうち上面５２を斜め上方を向ける。シート６１の上下で表示するマーク６３、６４等を異ならせ、表示している情報が２種類あることを認識させる。【選択図】        図３
2006133249.tif 000002
【特許請求の範囲】
【請求項１】
機器の筐体に、エンブレム状等の所望の表示を行うための表示体を装着する表示体装着構造であって、前記表示体が、外部から視認可能に表示を有し得るシートと、前記シートの少なくとも前記表示を外方から視認可能に覆う透明材からなるカバーとを、前記筐体に対して着脱可能としたことを特徴とする表示体装着構造。
【請求項２】
請求項１に記載の表示体装着構造において、前記シートを前記筐体の外方向から前記カバーで押さえて前記筐体に装着することを特徴とする表示体装着構造。
【請求項３】
請求項１または２に記載の表示体装着構造において、前記筐体に外部へ開放する凹部を設け、該凹部内に前記シートを装着することを特徴とする表示体装着構造。
【請求項４】
請求項１から３のいずれかに記載の表示体装着構造において、前記シートが、その上下方向で少なくとも２段に表示内容を書き分けたものであることを特徴とする表示体装着構造。
【請求項５】
請求項１または２に記載の表示体装着構造において、前記表示体を装着する前記筐体の部位が、少なくとも外観上で屈曲している屈曲面を構成する部位であることを特徴とする表示体装着構造。
【請求項６】
請求項５に記載の表示体装着構造において、前記屈曲面が少なくとも二以上の構成面からなり、該構成面の少なくとも一つの面が、鉛直面に対して上向きの角度をなすことを特徴とする表示体装着構造。
【請求項７】
請求項５または６に記載の表示体装着構造において、前記筐体に外部へ開放する凹部を設け、該凹部内に前記シートを装着する表示体装着構造。
【請求項８】
請求項７に記載の表示体装着構造において、前記凹部の底面が前記屈曲面の屈曲と対応する形態の屈曲面であることを特徴とする表示体装着構造。
【請求項９】
請求項５から８のいずれかに記載の表示体装着構造において、前記カバーの外面が前記屈曲面の屈曲と対応する形態の屈曲面であることを特徴とする表示体装着構造。
【請求項１０】
請求項７から９のいずれかに記載の表示体装着構造において、前記凹部の下部側の部位に窪みまたは穴を設け、前記カバーの下縁部位に前記窪みまたは穴に対応する凸部を設け、該凸部を前記窪みまたは穴と嵌合させて前記カバーを装着可能としたことを特徴とする表示体装着構造。
【請求項１１】
請求項１０に記載の表示体装着構造において、前記窪みまたは穴を、前記下部側の部位をなす前記凹部の底面の下部側部位と前記凹部の下部側面部とにまたがるように設け、その対応部位に前記カバーの凸部を設けたことを特徴とする表示体装着構造。
【請求項１２】
請求項１ないし１１のいずれかの表示体装着構造を備えたことを特徴とする機器。
【請求項１３】
請求項１ないし１１のいずれかの表示体装着構造を備えたことを特徴とする画像形成装置。
【発明の詳細な説明】
【技術分野】
【０００１】
本発明は、機器の筐体に、エンブレム状等の所望の表示を行うための表示体を装着するための表示体装着構造に関し、特に、複写機、プリンタ、ファクシミリ等の画像形成装置に用いるのに適するものに関する。
【背景技術】
【０００２】
複写機等の画像形成装置においては、多くの場合、機器筐体の正面側の部位に、会社名、商標、機器の愛称等々を表示するための部位を設けているものが多い。このような画像形成装置では、機器の正面が外観的に目立つので、単に何かの表示がなされているだけで良いという機能的な面だけでなく、意匠的にも優れることも求められるようになってきており、これについても種々工夫されている。
【０００３】
なお、本明細書において画像形成装置には、複写等の単機能の機器だけでなく、給紙装置や後処理装置等を含めていわゆるシステム化したものをも含むが、そのようなシステムにおいても同様である。
【発明の開示】
【発明が解決しようとする課題】
【０００４】
しかしながら本願発明者の知るところでは、会社名、商標、機器の愛称等の表示は、表示そのものとしての意匠的な面については種々改良されているものの、画像形成装置等の機器の筐体との組み合わせによる全体的な外観として、あるいは機種変更などへの対応性等々、未だ改良の余地があるものとなっている。
【０００５】
本発明はこの点を改良し、表示としてだけでなく、機器の外観としての意匠性に優れ、また交換性等の機能についても優れた新規な表示体装着構造を提供することを目的とする。また本発明は、この構造を用いた複写機、プリンタ、ファクシミリ等の画像形成装置をも提供することを目的とする。
【課題を解決するための手段】
【０００６】
本発明の請求項１に係る表示体装着構造は、機器の筐体に、エンブレム状等の所望の表示を行うための表示体を装着する表示体装着構造であって、前記表示体が、外部から視認可能に表示を有し得るシートと、前記シートの少なくとも前記表示を外方から視認可能に覆う透明材からなるカバーとを、前記筐体に対して着脱可能としたことを特徴とする。
【０００７】
同請求項２に係るものは、請求項１に記載の表示体装着構造において、前記シートを前記筐体の外方向から前記カバーで押さえて前記筐体に装着することを特徴とする。
【０００８】
同請求項３に係るものは、請求項１または２に記載の表示体装着構造において、前記筐体に外部へ開放する凹部を設け、該凹部内に前記シートを装着することを特徴とする。
【０００９】
同請求項４に係るものは、請求項１から３のいずれかに記載の表示体装着構造において、前記シートが、その上下方向で少なくとも２段に表示内容を書き分けたものであることを特徴とする。
【００１０】
同請求項５に係るものは、請求項１または２に記載の表示体装着構造において、前記表示体を装着する前記筐体の部位が、少なくとも外観上で屈曲している屈曲面を構成する部位であることを特徴とする。
【００１１】
同請求項６に係るものは、請求項５に記載の表示体装着構造において、前記屈曲面が少なくとも二以上の構成面からなり、該構成面の少なくとも一つの面が、鉛直面に対して上向きの角度をなすことを特徴とする。
【００１２】
同請求項７に係るものは、請求項５または６に記載の表示体装着構造において、前記筐体に外部へ開放する凹部を設け、該凹部内に前記シートを装着する。
【００１３】
同請求項８に係るものは、請求項７に記載の表示体装着構造において、前記凹部の底面が前記屈曲面の屈曲と対応する形態の屈曲面であることを特徴とする。
【００１４】
同請求項９に係るものは、請求項５から８のいずれかに記載の表示体装着構造において、前記カバーの外面が前記屈曲面の屈曲と対応する形態の屈曲面であることを特徴とする。
【００１５】
同請求項１０に係るものは、請求項７から９のいずれかに記載の表示体装着構造において、前記凹部の下部側の部位に窪みまたは穴を設け、前記カバーの下縁部位に前記窪みまたは穴に対応する凸部を設け、該凸部を前記窪みまたは穴と嵌合させて前記カバーを装着可能としたことを特徴とする。
【００１６】
同請求項１１に係るものは、請求項１０に記載の表示体装着構造において、前記窪みまたは穴を、前記下部側の部位をなす前記凹部の底面の下部側部位と前記凹部の下部側面部とにまたがるように設け、その対応部位に前記カバーの凸部を設けたことを特徴とする。
【００１７】
同請求項１２に係る機器は、請求項１ないし１１のいずれかの表示体装着構造を備えたことを特徴とする。
【００１８】
同請求項１３に係る画像形成装置は、請求項１ないし１１のいずれかの表示体装着構造を備えたことを特徴とする。
【発明の効果】
【００１９】
本発明は、機器の外観としての意匠性に優れ、また交換性等の機能についても優れる表示体装着構造、これを備えた機器、画像形成装置を提供できる。
【発明を実施するための最良の形態】
【００２０】
以下本発明を実施するための最良の形態を、図に示す実施例を参照して説明する。なお以下では、画像形成装置の操作部に実施した例についてのみ説明するが、本発明で対象とする機器はこれに限定されず、筐体外面に何らかの表示を行う機器をも含む。またなお、図示し、以下に説明する画像形成装置は本発明の単なる一実施対象であって、本発明の実施がこの例のものに限定されることはない。
【実施例１】
【００２１】
図１は、本発明に係る機器の一例としてカラー画像形成装置を概念的に示す斜視図、図２は同じく断面図である。図示のカラー画像形成装置は後述するようにコピー、ファクシミリ、スキャナ、ドキュメントボックス等の複合機能を有する、いわゆる複合機である。そして画像形成装置本体１には、主に、原稿を読み取る読み取りユニット１１、画像を形成する画像形成部１２、自動原稿搬送装置（以下ＡＤＦと言う。）１３、ＡＤＦ１３から送り出される原稿をスタックする原稿排紙トレイ１４、給紙カセット１５ないし１８を備える給紙部１９、記録用紙をスタックする排紙部（排紙トレイ２０）により構成してある。
【００２２】
そして、ＡＤＦ１３の原稿台２１上に原稿（図示せず）をセットして操作部１０での操作、例えばスタートキー３０の押下操作をすると、原稿台２１上から最上位の原稿がピックアップローラ２２の回転により送り出され、原稿搬送ベルト２３の回転により、画像読み取りユニット１１上に固定されたコンタクトガラス２上へ給送され、そこで停止する。コンタクトガラス２上に載置された原稿の画像は、画像形成部１２とコンタクトガラス２の間に位置する読み取りユニット１１内の読み取り装置２４によって読み取る。読み取りユニット１１は、コンタクトガラス２上の原稿を照明する光源、原稿画像を結像する光学系、原稿画像を結像させるＣＣＤ等からなる光電変換素子等を有している。画像読み取り終了後、原稿を搬送して排紙トレイ２０上へ排出する。
【００２３】
画像形成部１２には、ベルト状をした中間転写ベルト２５の上に、複数の作像部２６・・・が並列配置され、各作像部２６では、ドラム状をした感光体２７の周囲に、感光体２７の表面に帯電処理を行う帯電装置、画像情報を感光体２７の表面にレーザ光で照射する露光装置、感光体２７の表面に露光されて形成された静電潜像を可視化する現像装置、感光体２７上に残留するトナーを除去回収するクリーニング装置等が配置してある。
【００２４】
作像部２６は、例えば図の左から順にイエロー（Ｙ）、マゼンタ（Ｍ）、シアン（Ｃ）、ブラック（ＢＫ）の作像部となっている。この画像形成部１２での作像プロセスは、中間転写ベルト２５を回転させつつ最初にイエロー（Ｙ）のトナーを現像して中間転写ベルト２５に転写し、次にマゼンタ（Ｍ）のトナーを現像して中間転写ベルト２５に転写し、次いでシアン（Ｃ）のトナーを現像してこれも中間転写ベルト２５に転写し、最後にブラック（ＢＫ）のトナーを現像して中間転写ベルト２５に転写し、中間転写ベルト２５上に現像された４色のトナー像を転写装置２８で用紙に転写し、用紙上のトナーを定着装置２９で定着処理した後、排紙トレイ２０上に排紙、収納する。なお詳細な説明は省略するが、図示の装置は両面印刷用の装置部分も備えている。
【００２５】
図３は本発明に係る表示体装着構造を用いた図１、２に示す画像形成装置の要部を拡大して示す斜視図（Ａ）、同分解斜視図（Ｂ）であり、図４は図３（Ｂ）の縦断面図である。本例の表示体装着構造は、機器筐体である画像形成装置本体１を構成する前面パネル５０のほぼ中央部位に、エンブレム状等の所望の表示を行うための表示体６０を装着した構造である。
【００２６】
表示体６０は、外部から視認可能に表示を印刷等の適宜公知の手段によって設けることができるシート６１と、このシート６１を画像形成装置本体１の外方から覆うとともに押さえつけるカバー６２とで構成してある。カバー６２は、シート６１の表示内容を視認可能とするために透明材（半透明材からなるものを含む）で形成してあり、後述するように前面パネル５０に対して着脱可能としてある。
【００２７】
画像形成装置本体１を構成する前面パネル５０は、表示体６０を設ける部位を通って水平方向（画像形成装置本体１を水平に設置したとした場合での方向）に屈曲させた屈曲面を構成している。もちろんこの屈曲は、前面パネル５０をその厚さ方向（換言すれば表裏方向）で全体的に屈曲させてある必要はなく、少なくとも外観上で屈曲している面であればよい。図中ｘが屈曲の頂部である。
【００２８】
この前面パネル５０の屈曲面は、少なくとも二以上の面から構成する。図示の例は上下の２面５１、５２から構成してあるが、本発明はこれに限定されず、それ以上の面から構成しても良いが、構成面の少なくとも一つの面が、鉛直面（画像形成装置本体１を水平に設置したとした場合での鉛直面）に対して上向きの角度を有するように構成する。図示の例では、下面５１を鉛直よりも少し下向き（下面５１に下ろした垂線が水平より下方を向く）ようにする一方で、上面５２を斜め上方を向く（上面５２に下ろした垂線が水平よりも斜め上方を向く）ように構成してある。
【００２９】
前面パネル５０には、外部へ開放する凹部５３が設けてあり、この凹部５３内にシート６１を装着し、その外側をカバー６２で覆う構造を取れるようになっている。凹部５３の底面にも屈曲が形成してある。これは、もちろん図示のように外面の屈曲と連続するように屈曲させてある。図中５４は凹部５３の底面に設けた小穴であり、この穴５４の裏側（画像形成装置本体１の内部側）からピン等を差し込んで、シート６１やカバー６２を押し出して取り外せるようになっている。
【００３０】
一方、カバー６２も前述の屈曲ｘと対応する形態の屈曲Ｘを設けた屈曲面で外面を構成してある。ただし図示の例では外面のみに屈曲を形成してあるのではなく、厚さ方向で全体を屈曲させてあり、図４から分かるように、内面も屈曲面となっている。なお図ではシート６１を屈曲させ、カバー６２と同形態の屈曲Ｘを有するように描いてあるが、これはシート６１をカバー６２で押さえつけて凹部５３内に装着するために生じたものである（もちろん予め屈曲させてあっても良い）。
【００３１】
シート６１は、屈曲Ｘを元から有するものであっても、装着の結果で生じるものであっても、どちらの場合でも、それを境にして上下で表示内容を異ならせると良い。例えば図示の例では、上段側に会社名を示すマーク６３を、下段側には画像形成装置の愛称や型式を示すマーク６４を印字してある。なお、シート６１は透明な素材でも、不透明な素材でもいずれで形成しても良い。
【００３２】
上述の前面パネル５０の上面５２に対応するようになるシート６１の上側のマーク６３は、画像形成装置本体１の前に立った人だけでなく、周囲の人からもよく見えるようになり、注目を引きやすい表示となる。もちろん下側のマーク６４は、上側のマーク６３よりは見えにくいが、上側のマーク６３が目立つことによって人々の視線が集まれば、下側のマーク６４にも視線が及ぶことになる。このことにより、シート６１によって表示している情報が２種類あることが認識されやすくなり、表示として効果的なものとなる。
【００３３】
さらに凹部５３の上縁面の中央より若干端に片寄った部位には窪み５５が、またカバー６２の上縁面には対応位置に凸部６５が形成してあり、これらを利用してカバー６２の上部側の嵌合保持を行うようにしてある。
【００３４】
また凹部５３の下縁面とそれに隣接する底面部位にまたがらせて穴５６（有底の穴や窪みでもよい）を３個設け（図では２個のみ示す）、カバー６２の下縁部位にこれら穴５６に対応させて３個の凸部６６を設けてある。そして、カバー６２の凸部６６をそれぞれ穴５６に嵌合させてカバー６２の下部側の嵌合保持を行い、上述の上部側の嵌合保持とともにカバー６２を凹部５３に対して装着保持するようになっている。
【００３５】
なお上述した穴５６あるいは有底の穴や窪みは、凹部５３の底面部にまたがらせなくても良いが、図示のようなまたがる構成にすると、窪み５６等の開口面積を大きくできるので、それに対応してカバー６２の凸部６６も大きくでき、それにより嵌着操作が容易になり、従って装着、取り外し作業も簡単になる。
【００３６】
またなお、図５に示すように、カバー６２の外周縁は全周にわたっていわゆる面取り状に形成してある。この面取りしたような外周縁部６７は、本願発明者が種々実験を行ったところでは、カバー６２の材質（例えばＰＣ材等の透明なあるいは半透明な合成樹脂素材）とも相俟って、窪み５６に嵌合させた凸部６６を外からは見えにくく、あるいは見えなくすることができ、機器の外観性の向上に資するものとし得た。なお既述の屈曲は、外周縁部６７とその内面側の突条の部位にも及んでいる。
【図面の簡単な説明】
【００３７】
【図１】本発明に係る機器の一例としてカラー画像形成装置を概念的に示す斜視図である。
【図２】同じく断面図である。
【図３】本発明に係る表示体装着構造を用いた図１、２に示す画像形成装置の要部を拡大して示す斜視図（Ａ）、同分解斜視図（Ｂ）である。
【図４】図３（Ｂ）の縦断面図である。
【図５】面取り状としたカバーの外周縁の拡大断面図である。
【符号の説明】
【００３８】
１：画像形成装置本体
２：コンタクトガラス
１０：操作部
１１：読み取りユニット
１２：画像形成部
１３：自動原稿搬送装置（ＡＤＦ）
１４：原稿排紙トレイ
１５〜１８：給紙カセット
１９：給紙部
２０：排紙トレイ
２１：原稿台
２４：読み取り装置
２５：中間転写ベルト
２６：作像部
２７：感光体
３０：スタートキー
３１：液晶タッチパネル
３２：テンキー
３３：設定キー
３４：クリアキー
３６：設定キー
３７：選択キー
３８：機能選択キー
５０：前面パネル
５１、５２：面
５３：凹部
５４：穴
５５：窪み
５６：穴
６０：表示体
６１：シート
６２：カバー
６３、６４：マーク
６５、６６：凸部
６７：カバーの外周縁部
ｘ、Ｘ：屈曲
【図１】
2006133249.tif 000003
【図２】
2006133249.tif 000004
【図３】
2006133249.tif 000005
【図４】
2006133249.tif 000006
【図５】
2006133249.tif 000007